(57)【特許請求の範囲】
【請求項１】
循環ポンプ及び浴槽への落とし込み管路を備えた風呂加熱装置において、落とし込み管の一端を循環ポンプの正圧部である水室部の下端付近に開口させ、かつ前記循環ポンプの周縁下部に、前記水室部に連通する排水管を設けていることを特徴とする風呂循環装置。
【請求項２】
前記循環ポンプ近くの落とし込み管に保温ヒータを設けたことを特徴とする請求項１に記載の風呂循環装置。
【発明の詳細な説明】
【０００１】
【発明の属する技術分野】
本発明は、風呂循環装置、特に循環ポンプ及び浴槽への落とし込み管路を備えた風呂加熱装置の風呂循環装置に関する。
【０００２】
【従来の技術】
従来、循環ポンプ及び浴槽への落とし込み管路を備えた風呂装置は、例えば図３に示すように、風呂用加熱装置ａと、給湯用加熱装置ｂとを備えており、風呂用加熱装置ａは、風呂用熱交換器ｃの入口側に循環ポンプｆを有する風呂戻り管ｅが接続され、風呂用熱交換器ｃの出口側に風呂往き管ｇが接続され、風呂戻り管ｅ及び風呂往き管ｇは浴槽（図示略）に連通開口している。
風呂戻り管ｅには三方切換弁ｈが設けられ、三方切換弁ｈには落とし込み管ｊが接続され、落とし込み管ｊには落とし込み弁ｋと真空破壊弁ｍ及び落とし込み量センサｎが設けられており、落とし込み管ｊの一端は後述する給湯用加熱装置ｂの出湯管ｕに接続されている。
給湯用加熱装置ｂは、給湯用熱交換器ｑの入口側に給水量センサｔを有する給水管ｓが接続され、給湯用熱交換器ｑの出口側に出湯電磁弁ｖを有する出湯管ｕが接続され、出湯管ｕには落とし込み管ｊの一端が接続されている。
なお、ｄ，ｒはバーナ、ｗはガス管である。
【０００３】
【発明が解決しようとする課題】
しかしながら、上記従来の風呂循環装置には次のような問題があった。
出湯管ｕに落とし込み管ｊが接続されているから、この接続部に複雑な管の接続構造が必要であるという問題があった。
このため、部品重量が大きいという問題があり、接合部が多いために気密信頼性がが低下するという問題があった。
【０００４】
本発明の目的は、連結部の構造を簡素化し、部品重量を小さくすると共に、接合部を少なくして気密信頼性を向上させた風呂循環装置を提供することである。
【０００５】
【課題を解決するための手段】
上記目的を達成するために本発明の風呂循環装置は、循環ポンプ及び浴槽への落とし込み管路を備えた風呂加熱装置において、落とし込み管の一端を循環ポンプの正圧部である水室部の下端付近に開口させ、かつ前記循環ポンプの周縁下部に、前記水室部に連通する排水管を設けている。このことにより、落とし込み機構の構造が簡素化され、部品点数が少なくなるとともに、接合部をすくなくできるから、気密性能を向上させることができ、循環ポンプの水室部即ち正圧部に落とし込み管を連通させることにより、落とし込み管の逆止弁に負圧がかかるため、風呂循環時に風呂用熱交換器側への逆流を確実に防止することができる。また、落とし込み管の一端を循環ポンプの水室部の下端付近に開口させたことにより、循環ポンプから排水する際に落とし込み管内の水もスムーズに排出することができる。さらに、循環ポンプ近くの落とし込み管に保温ヒータを設けたことにより、寒冷時に通電すると、落とし込み管から循環ポンプ全体に熱が伝わって循環ポンプを加熱し、凍結を防止するから、循環ポンプ自身のヒータが不要となる。
【０００６】
【発明の実施の形態】
図１において、本発明を適用した落とし込み機能を備える風呂給湯装置について説明する。
風呂給湯装置は、風呂用加熱装置１と給湯用加熱装置２とを備え、風呂用加熱装置１は、風呂用熱交換器３と、該風呂用熱交換器３の入口側に接続された風呂戻り管４と、該風呂戻り管４に設けられた循環ポンプ５及び逆止弁６と、風呂用熱交換器３の出口側に接続された風呂往き管７と、バーナ８とを備えている。
また、給湯用加熱装置２は、給湯用熱交換器１５と、該給湯用熱交換器１５の入口側に接続された給水管１６と、該給水管１６に設けられた給水量センサ１７と、上記給湯用熱交換器１５の出口側に接続された出湯管１８と、出湯管１８に設けられた出湯弁１９と、給水管１６と出湯管１８を連通させるバイパス路２０と、該バイパス路２０に設けられたバイパス弁２１と、バーナ２２とを備えている。
なお、２３はガス管である。
【０００７】
さらに、出湯管１８に一端が接続された落とし込み管９の他端を、上記循環ポンプ５の水室部即ち正圧部に連通させるとともに、上記落とし込み管９に配設された逆止弁１０と、落とし込み弁１１と、真空破壊弁１２と、落とし込み量センサ１３と、落とし込み管９の保温ヒータ１４とを備えている。
【０００８】
動作について説明する。
落とし込み弁１１を開き、循環ポンプ５を駆動して浴槽への落とし込み運転を開始すると、給湯用加熱装置２で加熱された湯が、落とし込み管９から、逆止弁１０、落とし込み量センサ１３を経て循環ポンプ５に流入し、風呂戻り管４から風呂用熱交換器３に流入して風呂往き管７から浴槽に供給される。
循環加熱時には、落とし込み弁１１が閉じられ、循環ポンプ５が駆動されて湯が風呂戻り管４から風呂用熱交換器３に流入して風呂往き管７から浴槽に供給される。
なお、循環加熱時に落とし込み管９の逆止弁１０に負圧がかかるため、風呂循環時に風呂用熱交換器側への逆流を確実に防止することができる。
【０００９】
この構成により、落とし込み機構の構造が簡素化され、部品点数が少なくなるとともに、接合部をすくなくできるから、気密性能を向上させることができる。また、循環ポンプ５の水室部即ち正圧部に落とし込み管９を連通させることにより、落とし込み管９の逆止弁１０に負圧がかかるため、風呂循環時に風呂用熱交換器側への逆流を確実に防止することができる。
【００１０】
図２において、遠心型の循環ポンプ５の中心部に吸い込み口５０を設け、周縁部適所に吐出口５１を設けて、吐出口５１に風呂往き管４を接続し、循環ポンプ５の水室部即ち正圧部に落とし込み開口５２を設け、落とし込み管９を接続したものであり、循環ポンプ５の近傍の落とし込み管９に保温ヒータ１４を卷回して設けている。なお、循環ポンプ５の水室部に開口させる落とし込み開口５２を、循環ポンプ５の下部としている。また、循環ポンプ５の周縁下部に、水室部に連通する排水管５３と排水栓５４とが設けられている。
【００１１】
この構成によると、落とし込み開口５２を循環ポンプ５の下部に設けて落とし込み管９を接続したことにより、循環ポンプ５の排水管５３から排水する際に落とし込み管９内の水もスムーズに排出することができる。
また、循環ポンプ５の近傍の落とし込み管９に保温ヒータ１４を設けたことにより、寒冷時に通電すると、落とし込み管９から循環ポンプ５全体に熱が伝わって循環ポンプ５を加熱し、凍結を防止するから、循環ポンプ５自身のヒータが不要となる。
【００１２】
【発明の効果】
本発明は、上述のとおり構成されているから次に述べる効果を奏する。
落とし込み管の一端を循環ポンプの水室部即ち正圧部に開口させたことにより、落とし込み機構の構造が簡素化され、部品点数が少なくなるとともに、接合部をすくなくできるから、気密性能を向上させることができ、循環ポンプの水室部即ち正圧部に落とし込み管を連通させることにより、落とし込み管の逆止弁に負圧がかかるため、風呂循環時に風呂用熱交換器側への逆流を確実に防止することができる。
また、落とし込み管の一端を循環ポンプの水室部の下端付近に開口させたことにより、循環ポンプから排水する際に落とし込み管内の水もスムーズに排出することができる。
さらに、循環ポンプ近くの落とし込み管に保温ヒータを設けたことにより、寒冷時に通電すると、落とし込み管から循環ポンプ全体に熱が伝わって循環ポンプを加熱し、凍結を防止するから、循環ポンプ自身のヒータが不要となる。
【図面の簡単な説明】
【図１】  本発明の実施例である風呂加熱装置の概略構成図である。
【図２】  本発明の要部を示す拡大正面図である。
【図３】  従来の風呂加熱装置の概略構成図である。
【符号の説明】
１  風呂用加熱装置、２  給湯用加熱装置、３  風呂用熱交換器
４  風呂戻り管、５  循環ポンプ、６  逆止弁、７  風呂往き管
９  落とし込み管、１０  逆止弁、１１  落とし込み弁、１２  真空破壊弁
１３  落とし込み量センサ、１４  保温ヒータ
【図１】
0003728885.tif 000002
【図２】
0003728885.tif 000003
【図３】
0003728885.tif 000004